(57)【要約】【課題】  液晶表示部を載置したフレームによって液晶表示部を実装する場合、液晶表示部を載置するフレームの載置面の厚み分、携帯機器の厚みが増してしまうという課題がある。【解決手段】  ウィンドウ８が設けられた筐体６、７と、電子部品が実装された基板３と、この基板３に実装された電子部品をシールドするシールド部材１と、画像を表示する表示部５を筐体６、７に設けられたウィンドウ８に対向する位置に位置決めするとともに、ウィンドウ８に対向するシールド部材１の上面に表示部５を載置した状態で、表示部５を保持するフレーム部材４とを設けた。【選択図】  図３
2008263347.tif 000002
【特許請求の範囲】
【請求項１】
ウィンドウが設けられた筐体と、
電子部品が実装された基板と、
この基板に実装された前記電子部品をシールドするシールド部材と、
画像を表示する表示部を前記筐体に設けられた前記ウィンドウに対向する位置に位置決めするとともに、前記ウィンドウに対向する前記シールド部材の上面に前記表示部を載置した状態で、前記表示部を保持するフレーム部材とを設けたことを特徴とする電子機器。
【請求項２】
シールド部材は、基板上に実装された電子部品のうち、シールドされる電子部品を覆うように形成され、前記基板からの高さはほぼ均一になるように形成されることを特徴とする請求項１に記載の電子機器。
【請求項３】
シールド部材は、載置する表示部と接触するほぼ全面を支えるように、前記表示部との接触面の面積を前記表示部の底面積とほぼ同じにするように形成されることを特徴とする請求項１に記載の電子機器。
【請求項４】
シールド部材と表示部の間に干渉部材を設けたことを特徴とする請求項１または請求項２に記載の電子機器。
【発明の詳細な説明】
【技術分野】
【０００１】
この発明は、表示部を備えた、例えば携帯電話等の電子機器に関するものであり、特に液晶表示部を実装する実装構造に関する。
【背景技術】
【０００２】
近年、携帯電話機など携帯型の通信機器は通信可能なデータ量が増大するのに伴い、インターネットにアクセスしてホームページを閲覧したり、動画像などの大容量のデータを扱う機会が増えており、コンテンツを表示するための液晶表示部は大画面化する傾向がある。液晶表示部が大画面化すると、液晶表示部が外力により破損する懸念があるため、液晶表示部の剛性を確保するような実装構造が提案されている。
【０００３】
特許文献１には、携帯機器の落下や曲げ捻りにより液晶表示部に割れやひびが発生するのを防止するために、液晶表示デバイスを保持するＬＣＤフレームを、ＬＣＤフレームの下側に設けられたボスを介して基板に実装する液晶表示デバイス保持構造が開示されている。また、特許文献２には、液晶表示装置を保持するフレームに、下ケース内面のリブに当接する下面リブと上ケース内面のリブに当接する上面リブを設け、フレームの下面リブと下ケース内面のリブとを傾斜面で面接触させることにより、フレームが筐体に実装された携帯電子機器が開示されている。この携帯電子機器は、下面リブと下ケース内面のリブの当接面と、上面リブと上ケース内面のリブの係合部がほぼ直線上に位置し、荷重伝達経路が形成されているので、外部から作用した荷重から液晶表示装置を保護することができる。
【０００４】
【特許文献１】特開２０００−１９３９４４号公報
【０００５】
【特許文献２】特開２００４−１７２４５４号公報
【発明の開示】
【発明が解決しようとする課題】
【０００６】
ところで、液晶表示部を載置したフレームによって液晶表示部を実装する場合、液晶表示部を載置するフレームの載置面の厚み分、携帯機器の厚みが増してしまうという課題がある。また、液晶表示部にかかる荷重を受けるため、樹脂成形品もしくは鋳造品等で形成されたフレームにはある程度の厚みを持たせておく必要があった。この発明は、上記のような問題点を解消するためになされたもので、液晶表示部にかかる静的及び動的荷重に耐える構造を従来と同等に確保できるとともに、薄型化ができる液晶表示部実装構造を得ようとするものである。
【課題を解決するための手段】
【０００７】
本発明にかかる電子機器は、ウィンドウが設けられた筐体と、電子部品が実装された基板と、この基板に実装された電子部品をシールドするシールド部材と、画像を表示する表示部を筐体に設けられたウィンドウに対向する位置に位置決めするとともに、ウィンドウに対向するシールド部材の上面に表示部を載置した状態で、表示部を保持するフレーム部材とを設けたものである。
【発明の効果】
【０００８】
本発明にかかる電子機器は、ウィンドウが設けられた筐体と、電子部品が実装された基板と、この基板に実装された電子部品をシールドするシールド部材と、画像を表示する表示部を筐体に設けられたウィンドウに対向する位置に位置決めするとともに、ウィンドウに対向するシールド部材の上面に表示部を載置した状態で、表示部を保持するフレーム部材とを設けたので、電子機器の厚みを削減し、薄型化することができる。
【発明を実施するための最良の形態】
【０００９】
実施の形態１．
図１は携帯電話機の外観を示す外観斜視図である。図２は携帯電話機の外観を示す正面図である。図１に示す携帯電話機は、正面側筐体６と背面側筐体７より構成されており、正面側筐体６にはウィンドウ８と操作キー１０が設けられている。図３は本発明の実施の形態１に係る携帯電話機の断面を示す断面図である。図４は本発明の実施の形態１に係る携帯電話機の構成を示す分解斜視図である。図３および図４において、背面側筐体７に基板３が設けられている。この基板３上にはメモリなどの各種電子部品が実装されている。基板３に実装された電子部品を電磁的にシールドするため、基板３の電子部品を覆うように実装板金１（シールド部材）が設けられる。この実装板金１は、高い剛性を得るためにりん青銅などの材料を用いて、電子部品が実装された基板３の実装面に対して均一高さの平面を形成する。
【００１０】
内部フレーム４は、液晶表示装置であるＬＣＤモジュール５を、内部フレーム４のリブにより所定位置（たとえば正面側筐体６のウィンドウ８に対向する位置）に位置決めする。基板３は、内部フレーム４にリブなどにより位置決めされ、ねじ、嵌合つめなどにより固定される。この内部フレーム４は、正面側筐体６または背面側筐体７にねじ、嵌合つめなどにより固定される。ＬＣＤモジュール５と正面側筐体６間にはクッション９が挟み込まれており、このクッション９がＬＣＤモジュール５を固定している。内部フレーム４により位置決めされたＬＣＤモジュール５は、基板３上に設けられた実装板金１の上面と接触する状態で載置される。ウィンドウ８に外力が加えられると、正面側筐体６から内部フレーム４、背面側筐体７に荷重が伝達されるほか、ＬＣＤモジュール５にも荷重が伝達される。ＬＣＤモジュール５に伝達された荷重は、内部フレーム４ではなく実装板金１を介して基板３、背面側筐体７へと伝達される。
【００１１】
図７は一般的な携帯電話機の断面を示す断面図、図８は一般的な携帯電話機の構成を示す分解斜視図である。図７および図８は、図３および図４に示すものとの比較説明のために示すものである。また、図７および図８において、図３および図４と同一の符号は同一または相当部分を示すので説明は省略する。図７に示されるとおり、ＬＣＤモジュール５は、内部フレーム４のリブにより所定位置に位置決めされた状態で、実装板金１ではなく内部フレーム４のＬＣＤモジュール保持部１１の底面と接触する状態で載置されている。この場合、ウィンドウ８に外力が加えられると、正面側筐体６から内部フレーム４、背面側筐体７に荷重が伝達されるほか、ＬＣＤモジュール５にも荷重が伝達される。ＬＣＤモジュール５に伝達された荷重は、内部フレーム４のＬＣＤモジュール保持部１１の底面より内部フレーム４、さらに背面側筐体７に伝達されることになる。つまり、図３および図４に示すものが、ＬＣＤモジュール５に伝達された荷重を実装板金１で受け止める構造であるのに対し、図７および図８に示すものはＬＣＤモジュール５に伝達された荷重を内部フレーム４自身で受け止める構造である点で異なっている。
【００１２】
図３および図４に示すものは、ＬＣＤモジュール５に加えられた荷重を実装板金１に逃がす構造を採用しているため、図３および図４に示す内部フレーム４はＬＣＤモジュール保持部１１が不要である。したがって、図３および図４に示す内部フレーム４は、少なくとも、ＬＣＤモジュール保持部１１の底面部の厚みと、ＬＣＤモジュール保持部１１と実装板金１までのクリアランス分だけ、厚み方向のサイズを縮小、薄型化をすることができるという効果を奏する。
【００１３】
なお、実装板金１は、シールドが必要な基板３の電子部品のみを覆うものであってもよい。シールドが必要な電子部品が複数ある場合、実装板金１は複数設けられることになる。この場合でも、各実装板金１の基板からの高さを均一にしておけば、ＬＣＤモジュール５を保持することは可能である。各実装板金１の基板３からの高さは、ＬＣＤモジュール５の一部に応力が集中しない程度であれば、必ずしも同じである必要はない。
【００１４】
また、実装板金１は、載置するＬＣＤモジュールと接触するほぼ全面を支えるように、ＬＣＤモジュール５との接触面の面積をその底面積とほぼ同じにするように形成することが、応力集中を緩和することができる点でより好適である。ＬＣＤモジュール５と接触する実装板金１の上面の面積は、ＬＣＤモジュール５の一部に応力が集中しない程度であれば必ずしも同じである必要はない。
【００１５】
実施の形態２．
図５は本発明の実施の形態２に係る携帯電話機の断面を示す断面図、図６は本発明の実施の形態２に係る携帯電話機の構成を示す分解斜視図である。図５および図６において、図３および図４と同一の符号は同一または相当部分を示すので説明は省略する。図５および図６においては、実装板金１の上にＰＥＴまたはポリイミド等のシート２（干渉部材）を貼り付けている。実装板金１にシート２を貼り付けることで、ＬＣＤモジュール５の背面に対して複数の実装板金構成による微妙な高さの差による応力集中を防止する。またその他にＬＣＤモジュール５に実装パターン等がある場合に実装板金１とショート防止のために絶縁させる効果もある。この場合、少なくとも、ＬＣＤモジュール保持部１１の底面部の厚みと、ＬＣＤモジュール保持部１１と実装板金１までのクリアランス分を加算したものから、シート２の厚みを減算した分だけ、厚み方向のサイズを縮小、薄型化をすることができるという効果を奏する。
【００１６】
なお、上記説明では、電子機器の一例として携帯電話機を説明したが、携帯情報端末（ＰＤＡ）など表示部がある電子機器一般に利用可能である。
【図面の簡単な説明】
【００１７】
【図１】携帯電話機の外観を示す外観斜視図である。
【図２】携帯電話機の外観を示す正面図である。
【図３】本発明の実施の形態１に係る携帯電話機の断面を示す断面図である。
【図４】本発明の実施の形態１に係る携帯電話機の構成を示す分解斜視図である。
【図５】本発明の実施の形態２に係る携帯電話機の断面を示す断面図である。
【図６】本発明の実施の形態２に係る携帯電話機の構成を示す分解斜視図である。
【図７】一般的な携帯電話機の断面を示す断面図である。
【図８】一般的な携帯電話機の構成を示す分解斜視図である。
【符号の説明】
【００１８】
１  実装板金、２  ＰＥＴシート、３  基板、４  内部フレーム、
５  ＬＣＤモジュール、６  正面側筐体、７  背面側筐体、８  ウィンドウ、
９  クッション、１０  操作キー、１１  ＬＣＤモジュール保持部
【図１】
2008263347.tif 000003
【図２】
2008263347.tif 000004
【図３】
2008263347.tif 000005
【図４】
2008263347.tif 000006
【図５】
2008263347.tif 000007
【図６】
2008263347.tif 000008
【図７】
2008263347.tif 000009
【図８】
2008263347.tif 000010